(57)【要約】【課題】  何れの箇所であっても横架材と足場板の間に隙間が生ぜず、作業員の歩行や工具等の落下防止について充分な安全性が確保された足場板構造を提供する。【解決手段】  支柱間に設けた横架材に足場板を掛け渡す構造であって、前記横架材は水平部の中央に長手方向に向かって凸状部を立設した断面略Ｔ字状からなり、該横架材の水平部上に足場板の両端を載置可能とした。また、横架材の水平部上に突片を立設すると共に、足場板の両端裏面には前記突片の係合穴を設けるか、横架材の水平部上には案内凸状部を設けると共に、足場板の裏面には前記案内凸状部が嵌合可能な凹溝を設ける。さらに、横架材の凸状部は、足場板を水平部上に載置したとき、足場板の上面と同じ高さとなるように構成する。また、横架材の凸状部はその立ち上がり面をテーパ状に傾斜して設ける。【選択図】        図７
2006193947.tif 000002
【特許請求の範囲】
【請求項１】
支柱間に設けた横架材に足場板を掛け渡す構造であって、前記横架材は水平部の中央に長手方向に向かって凸状部を立設した断面略Ｔ字状からなり、該横架材の水平部上に足場板の両端を載置可能としたことを特徴とする足場板構造。
【請求項２】
横架材の水平部上に突片を立設すると共に、足場板の両端裏面には前記突片の係合穴を設けた請求項１記載の足場板構造。
【請求項３】
前記突片は凸状部と平行する板状部材に挿通孔を形成してなり、足場板には前記挿通孔に出入可能なスライドピンを設けた請求項２記載の足場板構造。
【請求項４】
前記突片の挿通孔は横長孔に形成される請求項３記載の足場板構造。
【請求項５】
横架材の水平部上であって中央の凸状部の左右には案内凸状部を設けると共に、足場板の裏面には前記案内凸状部が嵌合可能な凹溝を設けた請求項１記載の足場板構造。
【請求項６】
支柱間に設けた横架材に足場板を掛け渡す構造であって、前記横架材は水平部と、該水平部の中央に長手方向に設けた仕切凸状部と、該仕切凸状部の左右に足場板の両端裏面に設けた凹溝と嵌合可能に設けた固定凸状部とからなり、全体を断面略山字状としたことを特徴とする足場板構造。
【請求項７】
横架材は一枚の金属板を折り曲げ成形によって一体成形してなる請求項６記載の足場板構造。
【請求項８】
横架材の仕切凸状部の立ち上がり面には挿通孔を形成すると共に、足場板には前記挿通孔に出入可能なスライドピンを設けた請求項６または７記載の足場板構造。
【請求項９】
横架材の中央の凸状部は、足場板を水平部上に載置したとき、足場板の上面と同じ高さとなるように構成した請求項１から８のうち何れか一項記載の足場板構造。
【請求項１０】
横架材の中央の凸状部はその立ち上がり面をテーパ状に傾斜して設けた請求項１から９のうち何れか一項記載の足場板構造。
【請求項１１】
支柱間に設けた横架材に足場板を掛け渡す構造であって、前記横架材の左右には支柱に固定可能な脚材を設けて門型フレームを構成すると共に、さらに横架材と脚材との間に斜材を設けたことを特徴とする足場板構造。
【請求項１２】
横架材の左右には支柱に固定可能な脚材を設けて門型フレームを構成すると共に、さらに横架材と脚材との間を斜材を設けた請求項１から１０のうち何れか一項記載の足場板構造。
【請求項１３】
横架材の両端には支柱に設けた差込みポケット用の楔緊結式接続金具を設けた請求項１から１２のうち何れか一項記載の足場板構造。
【発明の詳細な説明】
【技術分野】
【０００１】
この発明は、各種作業用の足場や支保工を組み立てる仮設構造物において、特に支柱間に設けた横架材に足場板を掛け渡してなる足場板構造に関するものである。
【背景技術】
【０００２】
従来の足場板構造は、丸形や角形のパイプからなる横架材と、両端に把持部を設けた足場板とからなる（例えば、特許文献１および非特許文献１を参照）。
【０００３】
【特許文献１】実公平１−１８７５３号公報（第３頁、第２図）
【非特許文献１】日綜産業株式会社、“ＮＩＳＳＯ  ＣＤカタログ  ＮＩＳＳＯ（ニッソー）  シルクロード  アルミ製布付き布わく・・・つま先板脱着式・無隙間足場”、［online］、［平成１６年１月２０日検索］、インターネット＜URL：http://www.nisso-sangyo.co.jp/silkroad.html＞
【発明の開示】
【発明が解決しようとする課題】
【０００４】
ここに例示した従来技術のうち、特許文献１に示されたものにあっては、作業板の両端から把持部が突出した構造であるため、その突出分だけ横架材と作業板の間に隙間ができる。この隙間は作業員の歩行時に躓く原因となるばかりでなく、完全な空洞となるため工具等が落下する等の危険がある。
【０００５】
これに対して非特許文献１に示されたものは、把持部を作業板両端の凹凸加工によって構成し、且つ、両端を千鳥状としているため、横架材に掛け渡したとき隣り合う足場板の両端形状が合致して、隙間のない状態で足場板を構築することができるが、足場板を連設しない箇所については、やはり横架材との間に隙間が生じることになり、その安全性は万全とは言えなかったのである。
【０００６】
本発明は、上述した課題を解決するためになされたもので、その目的とするところは、何れの箇所であっても横架材と足場板の間に隙間が生ぜず、作業員の歩行や工具等の落下防止について充分な安全性が確保された足場板構造を提供することである。
【課題を解決するための手段】
【０００７】
上述した目的を達成するために本発明では、支柱間に設けた横架材に足場板を掛け渡す構造であって、前記横架材は水平部の中央に長手方向に向かって凸状部を立設した断面略Ｔ字状からなり、該横架材の水平部上に足場板の両端を載置可能とするという手段を用いた。この手段によれば、足場板が横架材の水平部に重畳して載置されるため、隙間が生じない。また、凸状部によって足場板の長手方向の動きが規制され、足場板が安定する。さらに、凸状部を境として、足場板を連設することができる。
【０００８】
また、横架材の水平部上に突片を立設すると共に、足場板の両端裏面には前記突片の係合穴を設けることによって、幅方向にも足場板の動きを規制することができ、より安定性を増す。さらに、突片と係合穴は横架材に足場板を掛け渡すときの位置決めとしても機能する。なお、この構成に代えて、横架材の水平部上には案内凸状部を設けると共に、足場板の裏面には前記案内凸状部が嵌合可能な凹溝を設けるという手段でも、案内凸状部が前記突片と、また凹溝が前記係合穴と同じ機能を発揮する。なお、この代替構成は、横架材を、水平部の中央に長手方向に設けた仕切凸状部と、該仕切凸状部の左右に足場板の両端裏面に設けた凹溝と嵌合可能に設けた固定凸状部とからなる構成によっても達成することができる。さらに、この場合、水平部・仕切凸状部および左右の固定凸状部を一枚の金属板を折り曲げ成形するによって、横架材を全体として断面略山字状に一体成形することが成型上好ましい。また、当該構成においても足場板の設置後、その浮き上がりを防止するため、横架材の仕切凸状部の立ち上がり面に挿通孔を形成すると共に、足場板には前記挿通孔に出入可能なスライドピンを設けることが好ましい。ここで断面略山字状とは、水平部に３つの立ち上がり（凸状部）を有する形状をいい、中央の立ち上がりを高くして、その左右に水平部の端部に位置して中央のそれよりも低い立ち上がりを設けた形状が典型例であるが、それぞれの立ち上がりの高さは足場板の形状等に合わせて変更され、また左右の立ち上がりの形成位置も水平部の左右端部（側端部）に限定されず、これまた足場板の載置態様等に応じて水平部の任意の位置に設けることができる。
【０００９】
さらに、突片は凸状部と平行する板状部材に挿通孔を形成してなり、足場板には前記挿通孔に出入可能なスライドピンを設けたものにあっては、スライドピンを挿通孔に嵌め込むことによって足場板の浮き上がりを防止する。また、スライドピンは足場板の裏側から操作することができるため、下階から上階にある足場板のスライドピンを操作することができる。この手段において、突片の挿通孔を横長孔に形成することによって、ピン挿通に遊びができ、足場板の設置位置について誤差を吸収することができる。
【００１０】
また、横架材の中央の凸状部は、足場板を水平部上に載置したとき、足場板の上面と同じ高さとなるように構成することによって、足場板と凸状部が平面的に面一となり、段差が生じない。
【００１１】
ところで、足場板の設置後は、その端部と中央の凸状部に全く隙間が生じないのが理想的であるが、そのためには足場板を水平状態のまま慎重に降ろす必要があり、その設置作業に時間や手間がかかることになる。そこで、足場板を迅速且つ簡単に設置するには、足場板を斜めにして、横架材の突片に対し、裏面に形成した係合穴を片方ずつ嵌め込むことが考えられる。そこで、本発明では、横架材の中央の凸状部の立ち上がり面をテーパ状に傾斜して設けることによって、前記嵌め込み時に足場板の端部と凸状部が干渉するのを回避している。また、この手段によれば、凸状部の立ち上がり傾斜角度を調整することによって、足場板の設置後、その下角が横架材の水平部と中央の凸状部によって形成される角と密着する場合であっても、上述した要領で足場板を設置することができる。
【００１２】
一方、本発明では、横架材の左右には支柱に固定可能な脚材を設けて門型フレームを構成すると共に、さらに横架材と脚材との間を斜材を設けるという手段をも用いることがある。この手段によれば、横架材が脚材によって補強されると共に、斜材によっても脚材への荷重分散が図られる。そして、仮設足場や支保工システムの妻側が本発明の門型フレームによって構成されることなり、そのラーメン構造によって捻れに強い仮設足場や支保工システムとすることができる。
【００１３】
また、本発明では、外周に差込みポケットを設けた支柱に適用するように、横架材の両端に楔緊結式の接続金具を設けることがある。
【発明の効果】
【００１４】
上述した手段を採用した本発明によれば、横架材を断面略Ｔ字状とし、その水平部上に足場板の両端を重畳して載置することができるため、歩行の妨げや工具等が落下する隙間が一切生ぜず、安全性に優れる。また、横架材の水平部上に突片を立設すると共に、足場板の両端裏面に前記突片の係合穴を設けることによって、足場板の幅方向の動きを規制することができ、足場板の安定性が増すと共に、突片と係合穴は横架材に足場板を掛け渡すときの位置決めとしても機能する。さらに、突片の挿通孔に足場板に設けたスライドピンを嵌め込むことができるようにしたので、足場板の浮き上がりが防止され、より安定性の高い足場板構造とすることができる。
【００１５】
また、横架材の凸状部を足場板の厚みと同じ高さに設定することによって、足場板と凸状部が平面的に面一となり、段差が生じないため、安全に歩行できる。さらに、横架材の凸状部の立ち上がり面をテーパ状に傾斜して設けるようにしたので、足場板の端部と凸状部の干渉を回避して、迅速且つ簡易に足場板を設置することができるといった実用的利便性に優れる足場板構造である。
【発明を実施するための最良の形態】
【００１６】
以下、本発明の好ましい実施の形態を添付した図面に従って説明する。図１は横架材１０の正面図、図２は横架材の平面図、図３は横架材の側面図、図４は図１におけるＡ−Ａ線端面図であって、この実施形態において横架材１０は、水平部１の中央に長手方向に向かって凸状部２を立設した断面略Ｔ字状からなり、両端には支柱Ｓの差込みポケットＰに嵌入可能な楔緊結式の接続金具３を設けている。凸状部２は、図４に示す通り、後述する理由により、先細りのテーパ状となるように、その立ち上がり面２ａを傾斜してなる。なお、この実施形態では、凸状部２を水平部１と一体に成型しているが、両者１・２を別体として溶接等により一体とすることも可能である。
【００１７】
また、この実施形態では、図１に示すように、その長さ（長手方向）を足場板２０を横並びに並設できるように設定してあり、その他、図２、３、４に示される通り、各足場板２０の中央に位置するように、左右端からそれぞれ略１／４長をもって、水平部１上に突片４を立設している。この突片４は、凸状部２と平行する板状部材４ａに挿通孔４ｂを形成してなる。なお、この実施形態では挿通孔４ｂを円形としてるが、その他の形状であってもよく、特に、横長孔とすれば、後述するスライドピンの挿入に関して、遊びができて好ましい。
【００１８】
一方、足場板２０の具体的構成は、図５に示すように、従来と同様の矩形の外観を呈する本体２１の両端裏面２２に、横架材１０の突片４を嵌め込むことができる係合穴２３を形成すると共に、両端裏面２２に横架材１０の突片４に形成された挿通孔４ｂに出入可能なスライドピン２４を設けている。なお、足場板２０を四方を内側に折曲成型して立体中空とし、上面２５にスパイク兼水抜き孔２６を形成する等は従来の足場板と同じ構成とすることができる。
【００１９】
上述した構成において足場板２０を構築する手順を、図６、７に従って説明すると、先ず足場板２０を斜めの状態として、その裏面２２に形成された係合穴２３を片方ずつ横架材１０の突片４に差込む。このとき足場板２０のスライドピン２４は引っ込めた状態としておくことはもちろんである。このように足場板２０を斜めの状態として、その両端を片方ずつ横架材１０の水平部１に載置すれば、作業を迅速且つ簡易に行うことができるのであるが、足場板２０を斜めにした分、その端部が横架材１０の凸状部２と干渉しやすくなる。しかしながら、この実施形態では凸状部２の立ち上がり面２ａを傾斜しているため、足場板２０を斜めにした場合でも上記干渉が回避されたまま、係合穴２３に対する突片４の差込み作業を行うことができる。
【００２０】
このようにして、足場板２０の片方について、係合穴２３への突片４の差込み作業が完了したなら、図７に示すように、他方の端部を降ろして足場板２０を水平状態にすることにより、他方の端部についても、その係合穴２３に突片４が差し込まれると共に、足場板２０の両端が横架材１０の水平部１に重畳した状態で載置される。この状態で、足場板２０の長手方向の動きは凸状部２及び係合穴２３と突片４の係合により、また左右方向の動きは係合穴２３と突片４の係合により規制されるから、足場板２０の平面方向の安定性は保たれる。
【００２１】
そして、図７に示すように、スライドピン２４を突出して、突片４の挿通孔４ｂに挿入することにより、足場板２０の浮き上がりも防止されるのである。なお、この実施形態ではスライドピン２４の後端は足場板２０の裏面開放面から露出してるため、下階から上階の足場板２０について、そのスライドピン２４を出入操作することができるように構成している。また、スライドピン２４の不用意な出入を防止するためには、ピン軸を所定角度の範囲で回動させることにより、出入状態がそれぞれロックされる構成を採用することが好ましい（この実施形態の場合、ピン軸をＬ字とし、９０度の範囲で回動可能としている）。
【００２２】
図８は、本発明の第二実施形態を示したものである。この実施形態の特徴は、上記実施形態で説明した突片４に代えて横架材１０の水平部１上に凸状部３０を設けると共に、係合穴２３に代えて足場板２０の裏面２２に前記凸状部３０と嵌合可能な凹溝３１を構成したことにある。その作用効果は、突片４と係合穴２３の場合とほぼ同じである。なお、凹溝３１は足場板２０の幅全域に設けるものであるが、横架材１０の凸状部３０は長手方向に連続して設ける必要はなく、突片４と同じように所定箇所のみに設けることも可能である。
【００２３】
さらに、この第二実施形態では、足場板２０の載置後に浮き上がりを防止する手段として、上述したスライドピン２４に代えて、回動可能なコ字状の固定金具３２を採用している。該固定金具３２は足場板２０の載置作業時には水平状態にロックされ、載置後に９０度回転させることにより、そのアゴ部３２ａを足場板２０の裏面２２に係合させて、その挟持作用により足場板２０の浮き上がりを防止するものである。
【００２４】
続いて、図９は本発明構造の第三実施形態として例示する横架材３０の断面図、図１０は同平面図、図１１は同側面図であって、当該横架材３０の全体的な形状は上記第二実施形態とほぼ同じである。即ち、この実施形態の横架材３０も水平部３１の中央に長手方向に向かって設置される足場板を左右に仕切る凸状部３２が設けられる共に、当該仕切凸状部３２の左右に足場体の両端裏面に設けた凹溝と嵌合して、足場板を固定するための固定凸状部３３が形成されている。６０は横架材３０の両端に設けた上記第一実施形態と同構成の楔緊結式の接続金具である。さらに詳述すれば、本横架材３０は一枚の金属板を折り曲げ成形（ロール成形）によって水平部３１・仕切凸状部３２および固定凸状部３３を一体に成形した中空の山字状からなる。当該成形によって横架材３０は凸状部３２・３３を溶接等により設ける必要がなくなり、生産性が高い。なお、当該成形に伴って、左右の固定凸状部３３は中央の仕切凸状部と同様に長手方向に連続した状態で設けられる。また、折り曲げ成形時のライン流れは引き抜きであっても押出しであってもよい。
【００２５】
図１２、１３は第三実施形態の横架材３０に対する足場板４０の取付態様を示したもので、横架材３０の立ち上がり面３４には挿通孔３５が形成されている共に、足場体４０の両端にはスライドピン５０が取付けられている。即ち、当該取付態様によれば、先ず足場板４０の両端をその凹溝４１が固定凸状部３３と嵌合するように水平部３１に載置した後、スライドピン５０を突出して挿通孔３５にロックさせることで、足場板４０を長手方向のズレおよび浮き上がりが拘束された状態で横架材３０に取付けることができる。なお、スライドピン５０の構造は上記第一実施形態のものと同じであり、Ｌ字のピン軸５１を９０度回動させることでピン先５２が挿通孔３５に出入するものである。なお、５３はピン先を突出方向に付勢するバネであり、突出前では収縮した状態に維持されるものである。
【００２６】
図１４は、本発明の第四実施形態を示したものである。この実施形態においては、横架材７０の左右に脚材７１を設けて門型フレームを構成している。さらに、横架材７０と脚材７１の間に斜材７２を溶接等により一体に設けて補強している。このように脚材７１および斜材７２により補強された横架材７０は、全体としてラーメン構造となり、これを組み込んだ仮設足場や支保工システムは捻れに強いものとなる。
【００２７】
さらに、この実施形態では、横架材７０の両端に上記実施形態と同構成の楔緊結式接続金具７３が設けられると共に、脚材７１の下部にも支柱の差込みポケットに固定可能な鈎型フック７４が設けられている。この構成により横架材７０は、楔緊結式接続金具７３と脚材７１の鈎型フック７４の合計、即ち実質的に４点で支柱に固定されることになるため、支柱への取付強度が高く、前記ラーメン構造による作用効果が向上する。また、脚材７１のフック７４を仮固定用として利用できるため、上記実施形態のように楔緊結式接続金具のみの２点止めの構成に比べて門型フレームの取り付けおよび取り外しを安全に行うことができる。ただし、支柱の差込みポケットへの固定構造は本実施形態に限定されず、横架材７０と脚材７１とで同じ接続金具を採用することも可能であるし、また支柱あるいは支柱間に設けられる水平つなぎに脱着可能に固定できるものであれば、接続金具は楔緊結式や鈎型フックに限定されない。
【００２８】
なお、この第四実施形態の横架材７０は、従来技術と同様に、丸形や角形のパイプからなり、両端に把持部を設けた足場板を掛け渡すことを予定しているが、上記実施形態と同じく中央に凸状部を設けたものであってもよいことはもちろんである。
【図面の簡単な説明】
【００２９】
【図１】本発明の一実施形態に係る横架材の正面図
【図２】同横架材の平面図
【図３】同横架材の側面図
【図４】図１におけるＡ−Ａ線端面図
【図５】同実施形態に係る足場板の説明図
【図６】同実施形態における足場板の設置手順を示した説明図
【図７】同設置手順の最終工程を示した説明図
【図８】本発明の第二実施形態に係る横架材と足場板の取り合い図
【図９】本発明の第三実施形態に係る横架材の断面図
【図１０】同横架材の平面図
【図１１】同横架材の側面図
【図１２】同実施形態における横架材と足場板の取り合い図（ロック前）
【図１３】同実施形態における横架材と足場板の取り合い図（ロック後）
【図１４】本発明の第四実施形態に係る横架材を含む門型フレームの正面図
【符号の説明】
【００３０】
１  水平部
２  凸状部
３  楔緊結式の接続金具
４  突片
１０  横架材
２０  足場板
２１  足場板の本体
２２  足場板の裏面
２３  係合穴
２４  スライドピン
Ｓ  支柱
Ｐ  差込みポケット
【図１】
2006193947.tif 000003
【図２】
2006193947.tif 000004
【図３】
2006193947.tif 000005
【図４】
2006193947.tif 000006
【図５】
2006193947.tif 000007
【図６】
2006193947.tif 000008
【図７】
2006193947.tif 000009
【図８】
2006193947.tif 000010
【図９】
2006193947.tif 000011
【図１０】
2006193947.tif 000012
【図１１】
2006193947.tif 000013
【図１２】
2006193947.tif 000014
【図１３】
2006193947.tif 000015
【図１４】
2006193947.tif 000016